(57)【要約】【課題】方形に限らず種々の枠形状を構成することができ、しかも簡素な構造の組立植栽枠装置を提供する。【解決手段】複数の枠板１を組み立てることによって植栽用の土留め枠体１０を構成する組立植栽枠装置において、枠板１は、板状物の両端面の長手方向に、複数の筒状部が１本の通し孔を成すように同軸に、かつ、軸方向に空間を空けて形成されたものとする。そして、隣り合う２つの枠板１の筒状部同士が近接した状態で、上記空間に２軸用の接続部材２を入れて、２つの軸部材３，４を挿通させることにより、隣り合う枠板１同士を接続する。【選択図】図６
2010063392.tif 000002
【特許請求の範囲】
【請求項１】
複数の枠板を組み立てることによって植栽用の土留め枠体を構成する組立植栽枠装置であって、
板状物の両端面の長手方向に、複数の筒状部が１本の通し孔を成すように、かつ、軸方向に空間を空けて形成された前記枠板と、
隣り合う２つの前記枠板の前記筒状部同士が近接した状態で、一方の枠板について前記空間に前記筒状部と同軸の関係を成して入り込む筒体部及び、当該筒体部と平行であり、他方の枠板について前記空間に前記筒状部と同軸の関係を成して入り込む筒体部が、互いに合体して形成された２軸用の接続部材と、
前記一方の枠板及び他方の枠板についてそれぞれ設けられ、互いに同軸の関係にある前記筒状部及び前記筒体部に挿通された軸部材と
を備えたことを特徴とする組立植栽枠装置。
【請求項２】
前記接続部材は、一方の前記軸部材を中心として前記一方の枠板に対して相対的に少なくとも１８０度回動可能であり、かつ、他方の前記軸部材を中心として前記他方の枠板に対して相対的に少なくとも１８０度回動可能である請求項１に記載の組立植栽枠装置。
【請求項３】
前記枠板は上下方向へ複数段に積み重ねられ、前記軸部材の各々は、積み重ねられた複数段の枠板について縦に並んでいる全ての前記筒状部及び介在する前記筒体部に挿通された１本の部材である請求項１又は２に記載の組立植栽枠装置。
【発明の詳細な説明】
【技術分野】
【０００１】
本発明は、植栽用の土留め枠体として使用することができる組み立て式の植栽枠装置に関する。
【背景技術】
【０００２】
緑化や菜園作りのために、屋上、ベランダ、イベント会場、公園、道路等に設置される植栽枠は、煉瓦や石材によって構成することができる。しかし、多数の煉瓦や石材が必要となるため、総重量が重く、運搬が容易でない。また、施工に時間がかかり、積み重ねによって不安定にもなり易い。
そこで、軽量で丈夫なＦＲＰで作られたコーナー部材とサイド部材とを自在に組み立てることができる植栽枠が提案されている（例えば、特許文献１参照。）。
また、ＦＲＰ製パネルの表面にタイル等を貼り付けたものを、連結用の部材を用いて所望の花壇の形に組み立てる構成も提案されている（例えば、特許文献２参照。）。
【０００３】
【特許文献１】実開平６−２３４２４号公報(図１)
【特許文献２】特開２０００−２０９９４５号公報(図２)
【発明の開示】
【発明が解決しようとする課題】
【０００４】
しかしながら、特許文献１，２に記載された構成ではいずれも、コーナーの角度が９０度に限定されるので、平面図として見た植栽枠の形状は、方形を基本とした形状に限られる。言い換えれば、形状の自由度が低い。また、組立構造が複雑で部品点数が多い。
かかる従来の問題点に鑑み、本発明は、方形に限らず種々の枠形状を構成することができ、しかも簡素な構造の組立植栽枠装置を提供することを目的とする。
【課題を解決するための手段】
【０００５】
本発明は、複数の枠板を組み立てることによって植栽用の土留め枠体を構成する組立植栽枠装置であって、板状物の両端面の長手方向に、複数の筒状部が１本の通し孔を成すように、かつ、軸方向に空間を空けて形成された前記枠板と、隣り合う２つの前記枠板の前記筒状部同士が近接した状態で、一方の枠板について前記空間に前記筒状部と同軸の関係を成して入り込む筒体部及び、当該筒体部と平行であり、他方の枠板について前記空間に前記筒状部と同軸の関係を成して入り込む筒体部が、互いに合体して形成された２軸用の接続部材と、前記一方の枠板及び他方の枠板についてそれぞれ設けられ、互いに同軸の関係にある前記筒状部及び前記筒体部に挿通された軸部材とを備えたものである。
【０００６】
上記のように構成された組立植栽枠装置では、隣り合う２つの枠板が、２軸用の接続部材を介して接続されることで、２つの軸部材をそれぞれ中心として相対的に回動可能となり、角度の自由度が大きくなる。また、枠板の他には、接続部材と軸部材とを要するのみである。
【０００７】
また、上記組立植栽枠装置において、接続部材は、一方の軸部材を中心として一方の枠板に対して相対的に少なくとも１８０度回動可能であり、かつ、他方の軸部材を中心として他方の枠板に対して相対的に少なくとも１８０度回動可能であることが好ましい。
この場合、合計で３６０度の範囲で、一方の枠板に対して他方の枠板を相対的に回動させることができる。従って、任意の角度を構成することができる。
【０００８】
また、上記組立植栽枠装置において、枠板は上下方向へ複数段に積み重ねられ、軸部材の各々は、積み重ねられた複数段の枠板について縦に並んでいる全ての前記筒状部及び介在する筒体部に挿通された１本の部材であってもよい。
この場合、枠板を積み重ね、積み重ねた高さの軸部材を挿通すれば、簡単に、所望の高さを得ることができる。
【発明の効果】
【０００９】
本発明の組立植栽枠装置によれば、隣り合う２つの枠板の成す角を種々の値に設定することが可能となり、方形に限らず種々の枠形状を構成することができる。また、枠板の他には、接続部材と軸部材とを要するのみであり、簡素な構造である。
【発明を実施するための最良の形態】
【００１０】
《第１実施形態》
以下、本発明の実施形態に係る組立植栽枠装置について、図面を参照して説明する。
図１は、組立植栽枠装置の一構成要素である枠板１を示す図であり、（ａ）は正面図、（ｂ）は平面図（又は底面図）である。組立植栽枠装置は、このような枠板１を複数個用意し、それらを組み立てることによって植栽用の土留め枠体を構成するものである。
【００１１】
図において、枠板１は、板状物（パネル）の左右両端面の長手方向（（ａ）における縦方向）に、３個の筒状部１ａが１本の通し孔を成すように同軸に形成されたものである。以下、この「長手方向」を、軸方向又は高さ方向という。３個の筒状部１ａは、後述の軸部材を挿通することができるように、一定の内径ｄを有している。また、３個の筒状部１ａは、軸方向に一定の空間Ｓを空けて設けられている。なお、筒状部１ａは、複数の枠板１を組み立てた後の機械的強度を確保するために、高さ方向に少なくとも３個設けることが好ましい。
【００１２】
枠板１の寸法は、基本的には自由に選択できるが、実際には、植栽枠装置を組み立てる際の施工の容易性、取り扱いの容易性、製造の容易性、土圧による撓み変形量、経済性等を考慮して決定される。具体的には、例えば、長さ（図の横方向）３００〜１０００ｍｍ、高さ５０〜３００ｍｍ程度が好ましい。厚みは、１０〜１００ｍｍ程度、好ましくは２０〜５０ｍｍ程度である。
【００１３】
枠板１の材質は、プラスチックのみでもよいし、プラスチックと金属とを組み合わせたものであってもよい。製法的には、例えば、長方形（正確には直方体）の板材部分と、両端の筒状部とを互いに一体加工する方法と、これらを別々に製作して、後から接着や溶着により一体化する方法とがある。
【００１４】
一体加工の場合は、圧縮成形、射出成形、押し出し成形等の各種プラスチック金型成形が行われる。プラスチックの材質は各種プラスチック金型成形に適合したプラスチック材料を選択すればよい。熱硬化性成形材料の場合は圧縮成形が、熱可塑性成形材料の場合は射出成形や押し出し成形が、それぞれ適する。なお、枠板１は、１部材として成形してもよいし、２つ割りの２部材をそれぞれ成形して製作した後、それらをビス止め、溶着、接着等により一体化してもよい。また、枠板１の軽量化のためには、成形時に、内部に空洞を設ける構造が好ましい。
【００１５】
次に、長方形の板材部分と、両端の筒状部とを別々に製作して、後から一体化する方法について説明する。まず、長方形の板材部分は、例えば薄い２枚の面材の間に、樹脂発泡体を心材として挟み込んだサンドイッチ構造とすることができる。この場合、心材が軽量であるため、全体として軽量化される。面材の材質としては、耐候性、耐食性、強度等を考慮して、ＦＲＰ、ガルバニウム鋼板、塩化ビニル鋼板、ステンレス鋼板、アルミ板等が好ましい。
【００１６】
面材の厚みは、加工容易性を考慮して０．２〜３ｍｍ程度のものが好ましい。金属に比べて剛性の低いＦＲＰ等のプラスチック板は厚めに、金属系は薄めにすることが好ましい。枠板１の裏面は土壌と接触し、表面は日光や風雨に晒されるので、より耐候性、耐食性を向上させるために面材表面に各種塗料類を塗装することが好ましい。
また、面材の間に挟まれる心材としては、比重の小さい各種プラスチック発泡体、各種ハニカム材料が好ましい。なお、比重はやや大きくなるが、合板類の他、各種珪酸カルシウム板、木片セメント板等の無機質類も使用可能である。
【００１７】
一方、筒状部１ａは、市販の各種パイプを、使用することができる。材質としては、金属（ステンレス、鉄、アルミ）、プラスチック（ＦＲＰ、硬質塩化ビニル、ポリエチレン）のどちらでも使用可能である。なお、筒状部１ａのみを別途成形してもよい。
長方形の板状部分と筒状部とを一体化させるには、例えば、ガラス繊維とポリエステル樹脂を用いたＦＲＰのハンドレイアップ方式で接着する方法がある。また、固定用当て板をセットして、ビス等を用いて機械的に固定する方法もある。
【００１８】
図２は、組立植栽枠装置の他の構成要素である接続部材２を示す図であり、（ａ）は正面図、（ｂ）は平面図（又は底面図）である。接続部材２は、いわゆる「めがね状」の形態を有する。言い換えれば、これは、２つの互いに平行な筒体部２ａが合体して形成された２軸用の接続部材２である。筒体部２ａの軸方向長さは、枠板１の筒状部１ａ間の軸方向寸法と合致する。筒体部２ａの内径ｄは、筒状部１ａの内径ｄと同じである。
【００１９】
また、図１に示す枠板１を２枚用意し、それらの筒状部１ａ同士が近接した状態で隣り合わせたとき、一方の筒体部２ａは、一方の枠板１について空間Ｓに筒状部１ａと同軸の関係を成して入り込み、かつ、他方の筒体部２ａは、他方の枠板１について空間Ｓに筒状部１ａと同軸の関係を成して入り込むことができるようになっている。
【００２０】
このような接続部材２の材質は、プラスチックのみでもよいし、プラスチックと金属とを組み合わせたものであってもよい。製法的には、全てプラスチックで成形してもよいし、金属又はプラスチックの２本のパイプを樹脂モールドしてもよい。図２は、後者の製法により製造された接続部材２を想定した図である。また、２本のパイプを両側に当てる中間の当て板（沿え板）を用意して、接着やビス等で固定して一体化してもよい。なお、図２の（ｂ）において、２つの筒体部２ａは、中心間の距離Ｄが、内径ｄより長い。いわば、筒同士が互いに接する「８」の字ではなく、少し離れている。この離間距離（Ｄ−ｄ）は、例えば２〜７ｍｍ程度、好ましくは３〜５ｍｍ程度である。
【００２１】
図３は、組立植栽枠装置のさらに他の構成要素である軸部材を示す図であり、（ａ）は正面図、（ｂ）は平面図（又は底面図）である。軸部材は実際には装置全体で共通のものであるが、便宜上、第１軸部材３と、第２軸部材４とに分けて考えると、２枚の枠板１を、それらの筒状部１ａ同士が近接した状態で隣り合わせたとき、一方の枠板１について筒状部１ａ及び筒体部２ａに挿通されるのが第１軸部材３であり、他方の枠板１について筒状部１ａ及び筒体部２ａに挿通されるのが第２軸部材４である。
【００２２】
上記軸部材３，４の外径は、筒状部１ａ及び筒体部２ａの内径ｄよりも僅かに小さい。軸部材３，４の素材は、金属パイプ又はプラスチックパイプである。なお、軸部材３，４は、「筒」に限らず、中実の丸棒でもよい。軸部材３，４の長さは、基本的には枠板１の高さと同じである。但し、軸部材３，４の上端部は、挿通部分より太径にして挿通時のストッパにしてもよいし、ボルト頭状や、なべ頭状にしてもよい。
【００２３】
図４は、２枚の枠板１を、接続部材２と、軸部材３，４とを用いて組み立てた状態を示す図である。図において、２枚の枠板１を、それらの筒状部１ａ同士が近接した状態で隣り合わせ、一方の筒体部２ａが一方の枠板１について空間Ｓ（図１）に筒状部１ａと同軸の関係を成して入り込み、かつ、他方の筒体部２ａが他方の枠板１について空間Ｓに筒状部１ａと同軸の関係を成して入り込んだ状態において、２つの軸部材３，４をそれぞれ、筒状部１ａ及び筒体部２ａに挿通することにより、２つの枠板１を互いに接続することができる。
【００２４】
図５は、２枚の枠板１を互いに接続して、立てた状態での横断面図である。（ａ）は、２枚の枠板１が直線状になっている状態、（ｂ）は、２枚の枠板１を、互いに９０度の関係となるように接続した状態、（ｃ）は、２枚の枠板１を、互いに重ねるように折り畳んだ状態である。接続部材２は、第１軸部材３を中心として一方の枠板１に対して相対的に少なくとも１８０度回動可能であり、かつ、第２軸部材４を中心として他方の枠板１に対して相対的に少なくとも１８０度回動可能である。
【００２５】
例えば、（ａ）の状態から右側の枠板１を左側の枠板１に対して時計回り方向へ１８０度回動させることができるとともに、（ａ）の状態から反時計回り方向へ１８０度回動させることもできる。従って、合計で３６０度の範囲で、一方の枠板１に対して他方の枠板１を相対的に回動させることができる。すなわち、２つの枠板１の成す角を、任意の値にすることができる。
ここで、前述の離間距離（Ｄ−ｄ）を所定の値に確保することにより、第１軸部材３の中心と、第２軸部材４の中心とを、所定距離だけ離すことができる。これにより、枠板１の端部同士が干渉することを防止でき、角度調節を滑らかに行うことができる。
【００２６】
図６は、４枚の枠板１を、上から見て正方形の土留め枠体１０となるように組み立てる状態を示す斜視図である。各コーナーにおいて、直交する２枚の枠板１を、それらの筒状部１ａ同士が近接した状態で隣り合わせ、接続部材２を装着して軸部材３，４を通すことにより、正方形の土留め枠体１０を構成することができる。
なお、コーナー部分の隣り合う枠板１間には僅かな隙間ができるが、この隙間は、土がこぼれ落ちない程度に小さくすることが好ましい。また、必要に応じて、内側にゴムのシート等を貼り付けてもよい。
【００２７】
なお、図６の形状は容易に、菱形に変形することができる。また、一辺を減らせば正三角形になり、逆に増やせば五角形以上の多角形にもなる。さらに、枠板の長さを複数種類用意すれば、長方形、台形、不等辺多角形も自在に構成することができる。例えば三角形の土留め枠体は、Ｙ字状の三叉路にできる三角形の中州のような小領域に花壇を作る場合に、便利な構造となる。
図７は、コーナーの角度が６０度、形状が三角形の土留め枠体１０を、３個並べて全体として台形状に構成した花壇の平面図である。
図８の（ａ）は、コーナーの角度が１２０度、形状が六角形の土留め枠体１０を示す平面図である。（ｂ）は、コーナーを凹凸に配置し、星形を構成した例である。
【００２８】
以上のように、本実施形態の組立植栽枠装置によれば、隣り合う２つの枠板１が、２軸用の接続部材２を介して接続されることで、２つの軸部材３，４をそれぞれ中心として相対的に回動可能となり、角度の自由度が大きくなる。すなわち、２つの枠板１の成す角を種々の値に設定することが可能となり、正方形や長方形に限らず種々の枠形状を構成することができる。また、枠板１の他には、接続部材２と軸部材３とを要するのみであり、簡素な構造である。
【００２９】
なお、上記実施形態では、枠板１の平面図の形状（すなわち、上から見た形）が直線状であるが、これは、非直線状であってもよい。例えば、上から見た形が、湾曲しているもの、波形のもの、凹凸の連続になっているもの等、種々の変形例があり得る。また、波形や凹凸が鉛直断面に現れるように（すなわち横縞の形状になるように）形成すれば、曲げに強くなり、土圧に対する強度が向上する。
【００３０】
また、上記実施形態では、軸部材３，４の長さが、枠板１の高さと同一である例を示したが、これとは別に、図９に示すように、軸部材３，４の長さが、枠板１の高さ寸法より長く、しかも、下端側で先鋭になっていてもよい。この場合、軸部材３，４の下端を土の地面に打ち込むことにより、土留め枠体全体としての、土圧に対する強度を向上させることができる。また、地面への位置決めも可能となる。
【００３１】
《第２実施形態》
一方、枠板１を上下方向へ複数段に積み重ねることにより、土留め枠体１０の高さを変更することができる。
図１０は、枠板１を２段に積み重ねる土留め枠体１０を示す斜視図である。この場合の第１軸部材３及び第２軸部材４の各々は、積み重ねられた２段の枠板１について、全ての筒状部１ａ及び筒体部２ａに挿通された１本の部材である。すなわち、軸部材３，４の長さは、２段に積み重ねた枠板１の合計の高さとなる。さらに多くの段数の場合も同様である。
【００３２】
このようにして、必要なだけ枠板１を積み重ね、積み重ねた高さの軸部材３，４を挿通すれば、簡単に、所望の高さの土留め枠体１０を得ることができる。積み重ねにより部材の総数は増大するが、部材の種類は１段の場合と同じである。
【００３３】
《その他》
なお、軸部材３，４としてパイプを使用した場合、これらを灌水時の給水路の一部として利用することができる。例えば、軸部材３，４の下端に給水用のホースを接続し、上端に散水ノズルを取り付ければ、枠体のコーナーから内方に向かって散水することができる。また、散水用の孔が多数形成された散水筒を使用する場合には、これを枠体上に架設するための支柱として、上方へ延伸した軸部材３，４を使用することができる。この場合は、例えば、軸部材３，４と散水筒とを互いに接続して連通させ、軸部材３，４に水を送り込むことにより、灌水を行うようにしてもよい。
【図面の簡単な説明】
【００３４】
【図１】組立植栽枠装置の一構成要素である枠板を示す図であり、（ａ）は正面図、（ｂ）は平面図（又は底面図）である。
【図２】組立植栽枠装置の他の構成要素である接続部材を示す図であり、（ａ）は正面図、（ｂ）は平面図（又は底面図）である。
【図３】組立植栽枠装置のさらに他の構成要素である軸部材を示す図であり、（ａ）は正面図、（ｂ）は平面図（又は底面図）である。
【図４】２枚の枠板を、接続部材と、軸部材とを用いて組み立てた状態を示す図である。
【図５】２枚の枠板を互いに接続して、立てた状態での横断面図であり、（ａ）は、２枚の枠板１が直線状になっている状態、（ｂ）は、２枚の枠板１を、互いに９０度の関係となるように接続した状態、（ｃ）は、２枚の枠板１を、互いに重ねるように折り畳んだ状態を、それぞれ示している。
【図６】４枚の枠板を、上から見て正方形の土留め枠体となるように組み立てる状態を示す斜視図である。
【図７】コーナーの角度が６０度、形状が三角形の土留め枠体を、３個並べて全体として台形状に構成した花壇の平面図である。
【図８】（ａ）は、コーナーの角度が１２０度、形状が六角形の土留め枠体を示す平面図であり、また、（ｂ）は、コーナーを凹凸に配置し、星形を構成した例である。
【図９】軸部材の長さが、枠板の高さ寸法より長く、しかも、下端側で先鋭になっている場合における、上から見て正方形の土留め枠体を示す斜視図である。
【図１０】枠板を２段に積み重ねる土留め枠体を示す斜視図である。
【符号の説明】
【００３５】
１    枠板
１ａ  筒状部
２    接続部材
２ａ  筒体部
３，４    軸部材
１０    土留め枠体
Ｓ    空間
【図１】
2010063392.tif 000003
【図２】
2010063392.tif 000004
【図３】
2010063392.tif 000005
【図４】
2010063392.tif 000006
【図５】
2010063392.tif 000007
【図６】
2010063392.tif 000008
【図７】
2010063392.tif 000009
【図８】
2010063392.tif 000010
【図９】
2010063392.tif 000011
【図１０】
2010063392.tif 000012